(57)【要約】【課題】突発的な外因性のノイズ混入により、撮影をやり直すこと、すなわちその患者にとって被爆線量を増加するといった事態を避けるようにした放射線検出装置及び放射線検出システムを提供すること。【解決手段】放射線を電気信号として検出する放射線検出部と、前記放射線検出部を駆動するためのタイミング発生部９１３とを有する放射線検出装置において、前記放射線検出部からの出力を監視する出力監視部９１２備え、放射線が出射する直前まで、前記出力監視部で前記放射線検出部からの暗出力を監視し、その暗出力に外因性のノイズ成分が混入していると判断する場合に、放射線の出射を禁止する信号を放射線発生装置側へ出力している。【選択図】　　　図１
2004024682.tif 000002
【特許請求の範囲】
【請求項１】
放射線を電気信号として検出する放射線検出部と、前記放射線検出部を駆動するためのタイミング発生部とを有する放射線検出装置において、
前記放射線検出部からの出力を監視する出力監視部を備え、放射線が出射する直前まで、前記出力監視部で前記放射線検出部からの暗出力を監視し、その暗出力に外因性のノイズ成分が混入していると判断する場合に、放射線の出射を禁止する信号を放射線発生装置側へ出力することを特徴とする放射線検出装置。
【請求項２】
前記放射線検出部は、可視波長領域に感度を有する固体撮像素子とスイッチ素子とを１つの画素として、それらを２次元アレー状に配置させた光電変換基板と、放射線が照射されることにより可視光を放射する波長変換体とを備えたことを特徴とする請求項１に記載の放射線検出装置。
【請求項３】
前記出力監視部は、暗出力の各行又は列単位の平均値において、少なくとも１つの行又は列の値が、予め決められた＋側の基準値を上回った場合又は−側の基準値を下回った場合に、放射線の出射を禁止する信号を放射線発生装置側へ出力することを特徴とする請求項１又は２に記載の放射線検出装置。
【請求項４】
前記出力監視部は、ＡＤコンバータ、メモリ、及びＣＰＵを含むことを特徴とする請求項１に記載の放射線検出装置。
【請求項５】
前記固体撮像素子及び前記スイッチ素子は、アモルファスシリコン半導体を主材に含むことを特徴とする請求項２に記載の放射線検出装置。
【請求項６】
前記波長変換体と前記光電変換基板とは、透光性を有する接着剤で接着していることを特徴とする請求項２に記載の放射線検出装置。
【請求項７】
前記放射線検出部は、入射した放射線を直接電気信号に変換する放射線検出素子が１つの画素に含まれ、それらを２次元アレー状に配置させたことを特徴とする請求項１に記載の放射線検出装置。
【請求項８】
前記放射線検出素子は、ヨウ化鉛、ヨウ化水銀、セレン、テルル化カドミウム、ガリウムヒ素、ガリウム燐、硫化亜鉛、又はシリコンのいずれかを材料として含むことを特徴とする請求項７に記載の放射線検出装置。
【請求項９】
被写体に対して放射線を出射する放射線源と、前記前記放射線源から出射され前記被写体を透過した放射線を電気信号として検出する放射線検出部と、前記放射線検出部を駆動するためのタイミング発生部とを有する放射線検出システムにおいて、
前記放射線検出部からの出力を監視する出力監視部を備え、前記放射線が出射する直前までの前記放射線検出部からの暗出力を前記出力監視部で監視することにより、その暗出力に外因性のノイズ成分が混入していると判断する場合に、放射線の出射を禁止することを特徴とする放射線検出システム。
【請求項１０】
放射線を検出する前記放射線検出部は、可視波長領域に感度を有する固体撮像素子とスイッチ素子とを１つの画素として、それらを２次元アレー状に配置させた光電変換基板と、放射線が照射されることにより可視光を放射する波長変換体とを備えたことを特徴とする請求項９に記載の放射線検出システム。
【請求項１１】
前記出力監視部は、暗出力の各行又は列単位の平均値において、少なくとも１つの行又は列の値が、予め決められた＋側の基準値を上回った場合又は−側の基準値を下回った場合に、前記放射線源からの放射線の出射を禁止する信号を放射線源側へ出力することを特徴とする請求項９又は１０に記載の放射線検出システム。
【請求項１２】
前記出力監視部は、ＡＤコンバータ、メモリ、及びＣＰＵを含むことを特徴とする請求項９に記載の放射線検出システム。
【請求項１３】
前記固体撮像素子及び前記スイッチ素子は、アモルファスシリコン半導体を主材に含むことを特徴とする請求項１０に記載の放射線検出システム。
【請求項１４】
前記Ｘ線可視変換蛍光体と前記光電変換基板とは、透光性を有する接着剤で接着していることを特徴とする請求項１０に記載の放射線検出システム。
【請求項１５】
前記放射線検出部は、入射した放射線を直接電気信号に変換する放射線検出素子が１つの画素に含まれ、それらを２次元アレー状に配置させたことを特徴とする請求項９に記載の放射線検出システム。
【請求項１６】
前記放射線検出素子は、ヨウ化鉛、ヨウ化水銀、セレン、テルル化カドミウム、ガリウムヒ素、ガリウム燐、硫化亜鉛、又はシリコンのいずれかを材料として含むことを特徴とする請求項１５に記載の放射線検出システム。
【発明の詳細な説明】
【０００１】
【発明の属する技術分野】
本発明は、放射線を電気信号として検出する装置及び放射線検出システム、特に、病院内での診断や工業用の非破壊検査に用いられる放射線検出装置及び放射線検出システムに関する。
【０００２】
なお、本明細書では、α線、β線、γ線、Ｘ線なども放射線の範疇に含むものとして説明する。
【０００３】
【従来の技術】
従来、病院内で行われているＸ線撮影システムは、患者にＸ線を照射させ、その透過Ｘ線像をフィルムに露光するフィルム方式が主流になっている。
【０００４】
図７は、従来のフィルム方式のＸ線撮影システムを示す概略図である。図７において、９０１はＸ線を照射するＸ線源、９０２は被写体すなわち患者、９０３はＸ線を可視光に変換するＸ線可視変換蛍光体、９０４は蛍光体９０３面で変換された可視光の強度を感知し患者の像を形成するフィルムである。９０５は、Ｘ線技師が操作するスイッチ、９０６は、電源である。フィルム方式は、フィルムそのもので、患者のＸ線像を検出する機能やＸ線情報を表示する階調機能、そして情報を記憶する機能を有する、優れた媒体であり、今でも広く使われている。
【０００５】
しかしながら、最近ではディジタル化の要求が高まりつつあり、フィルムの変わりに固体撮像素子を２次元アレー状に配置させた光電変換部９１４が使われ出してきている。Ｘ線画像をディジタル情報に置き換えることにより、画像情報を遠方にしかも瞬時に伝送することが可能になるため、地方にいながら都心にある大学病院なみの診断が受けられるメリットがある。フィルムを用いなくなれば、病院内ではフィルムの保管スペースが省けるメリットがある。そして将来的には優れた画像処理技術を取り入れ直接放射線科の医師を介さずコンピュータによる自動診断も期待されている。
【０００６】
最近、固体撮像素子にアモルファスシリコン薄膜半導体を用いた放射線検出システムが実用化されている。アモルファスシリコン薄膜半導体は近年の技術では、人体の胸部をカバーする４０ｃｍ□の大面積化が可能であり、しかも作成プロセスが比較的容易であるため、将来的には安価な検出装置が期待される。
【０００７】
図８は、従来の固体撮像素子を用いたＸ線撮像システムを示す概略図である。図７と異なるのは、フィルムの変わりに絶縁基板９１０上に光電変換素子９１１を多数配置し、Ｘ線可視変換蛍光体９０３からの可視光を光電変換素子９１１で電気信号に変換するものである。図８では、光電変換部９１４を断面的に表現しているが、実際は、光電変換素子９１１が絶縁基板９１０上に２次元アレー状に多数個、配置されている。この場合、光電変換部９１４を駆動するためのタイミング発生部９１３が具備される。Ｘ線は、Ｘ線技師により、患者の姿勢や光電変換部９１４との位置関係を整え、Ｘ線発生の準備が出来たときに爆射スイッチ９０５が押され（爆射意思信号）、Ｘ線源より出射する。
【０００８】
図９は、図８で示されるＸ線撮像システムの動作のフローチャートを示している。開始後、光電変換部９１４はタイミング発生部９１３により空読み動作を行う。空読み動作とは、詳細は後述するが、Ｘ線を照射させる前にスキャンを行っている動作状態、すなわち光電変換部９１４からは暗出力が出力されている状態であり、いわば準備期間である。その状態でＸ線技師により爆射指令が出されることにより、Ｘ線源からＸ線が出射され、患者を透過したＸ線が光電変換部９１４に照射される。その後、光電変換部９１４は本読み動作に移行する。本読み動作は、空読み動作と基本的には同じ動作であるが、その出力は、Ｘ線が照射された後の動作でるため、暗出力ではなく患者の画像情報が含まれた出力である。本読み動作の詳細は後述する。
【０００９】
図１０は、光電変換部９１４における光電変換回路１０１の２次元的回路図である。説明を簡単化するために３×３＝９画素分で記載してある。
【００１０】
Ｓ１−１〜Ｓ３−３は、光電変換素子９１１、Ｔ１−１〜Ｔ３−３は、スイッチ素子であるＴＦＴ、Ｇ１〜Ｇ３はＴＦＴをオンオフさせるためのゲート配線、Ｍ１〜Ｍ３は、信号配線である。光電変換素子９１１は、ホトダイオードと容量を並列接続で表記しており、逆方向バイアスが印加される。すなわち、ホトダイオードのカソード電極側は＋（プラス）にバイアスされる。バイアス配線は、通常共通の配線であるが、図１０中では共通の配線としては省略している。光電変換された電荷は容量に蓄積される。Ｓ１−１〜Ｓ３−３、Ｔ１−１〜Ｔ３−３、Ｇ１〜Ｇ３、Ｍ１〜Ｍ３、Ｖｓ線、これらを総じて光電変換回路１０１又は光電変換基板と称する。１０２はゲート配線にパルスを印加するシフトレジスタ、１０７は光電変換回路１０１内のＭ１〜Ｍ３の並列信号出力を増幅し、直列変換して出力するための読み出し用回路である。
【００１１】
図１１は、図１０の読み出し用回路１０７の内部を示す電気回路図である。
【００１２】
ＲＥＳ１〜ＲＥＳ３はＭ１〜Ｍ３をリセットするスイッチ、Ａ１〜Ａ３はＭ１〜Ｍ３の信号を増幅するアンプ、ＣＬ１〜ＣＬ３はＡ１〜Ａ３で増幅された信号を一時的に記憶するサンプルホールド容量、Ｓｎ１〜Ｓｎ３はサンプルホールドするためのスイッチ、Ｂ１〜Ｂ３はバッファアンプ、Ｓｒ１〜Ｓｒ３は並列信号を直列変換するためのスイッチ、１０３は、Ｓｒ１〜Ｓｒ３に直列変換するためのパルスを与えるシフトレジスタ、１０４は直列変換された信号を出力するバッファアンプである。
【００１３】
図１２は、図１０、図１１からなる光電変換部９１４の動作を示すタイミングチャートである。光電変換部９１４を駆動するためのタイミング信号が、タイミング発生部９１３から出力される。
【００１４】
まず、光電変換期間（Ｘ線照射期間）について説明する。
【００１５】
ＴＦＴは全てオフ状態において、光源（Ｘ線）がパルス的にオンすると、それぞれの光電変換素子９１１に光が照射され、光の量に対応した信号電荷が素子容量に蓄積される。Ｘ線可視変換用の蛍光体９０３を用いる場合、Ｘ線の量に対応した可視光を光電変換素子９１１側に導光するような部材を用いるか、蛍光体を光電変換素子の極近傍に配置すればよい。光源がオフした後も、素子容量に光電変換された信号電荷は保持される。
【００１６】
次に読み出し期間について説明する。
【００１７】
読み出し動作は、Ｓ１−１〜Ｓ１−３の１行目、次にＳ２−１〜Ｓ２−３の２行目、次にＳ３−１〜Ｓ３−３の３行目の順で行われる。まず、Ｓ１−１〜Ｓ１−３の１行目を読み出しするためにＴ１−１〜Ｔ１−３のスイッチ素子（ＴＦＴ）のゲート配線Ｇ１にシフトレジスタ１０２からゲートパルスを与える。これにより、Ｔ１−１〜Ｔ１−３がオン状態になり、Ｓ１−１〜Ｓ１−３に蓄積されていた信号電荷が、信号配線Ｍ１〜Ｍ３に転送される。Ｍ１〜Ｍ３の信号配線には、図１０に記載してある読み出し容量ＣＭ１〜ＣＭ３が付加されており、信号電荷はＴＦＴを介し、読み出し容量ＣＭ１〜ＣＭ３に転送されることになる。例えば信号配線Ｍ１の付加されている読み出し容量ＣＭ１は、Ｍ１に接続されているＴ１−１〜Ｔ３−１の各ＴＦＴにおけるゲート−ソース間の電極間容量（Ｃｇｓ）の総和（３個分）である。Ｍ１〜Ｍ３に転送された信号電荷は、アンプＡ１〜Ａ３で増幅される。そしてＳＭＰＬ信号をオンさせることにより、サンプルホールド容量ＣＬ１〜ＣＬ３に転送され、ＳＭＰＬ信号をオフするとともにホールドされる。次にシフトレジスタ１０３からスイッチＳｒ１、Ｓｒ２、Ｓｒ３の順番で、パルスを印加することにより、ＣＬ１〜ＣＬ３にホールドされていた信号が、ＣＬ１、ＣＬ２、ＣＬ３の順でアンプ１０４から出力される。結果としてＳ１−１、Ｓ１−２、Ｓ１−３の１行分の光電変換信号が順次出力される。Ｓ２−１〜Ｓ２−３の２行目の読み出し動作、Ｓ３−１〜Ｓ３−３の３行目の読み出し動作も同様に行われる。
【００１８】
１行目のＳＭＰＬ信号によりＭ１〜Ｍ３の信号をＣＬ１〜ＣＬ３にサンプルホールドすれば、Ｍ１〜Ｍ３をＣＲＥＳ信号によりＧＮＤ電位にリセットしその後Ｇ２のゲートパルスを印加することができる。すなわち１行目の信号をＳＲ２により直列変換動作をする間に、同時に光電変換素子Ｓ２−１〜Ｓ２−３の２行目の信号電荷をＳＲ１により転送することができる。
【００１９】
以上の動作により、第１行から第３行全ての光電変換素子９１１の電荷を出力することができる。
【００２０】
【発明が解決しようとする課題】
固体撮像素子を用いた放射線検出装置は、読み取り動作時に外因性のノイズ源の影響を受ける場合がある。外因性のノイズ源とは放射線検出装置の外部に存在するノイズ源であり、例えば、放射線検出装置が設置されている撮影室に隣接した他の放射線源から壁越しでやってくる磁界性のノイズや落雷によるノイズで、主に空間を伝わってくるノイズがあげられる。また、病院内外での何かしらの大電力機器が稼動中に、放射線検出装置の電源ラインまたはＧＮＤラインが交流的にふらつくことにより、読み取り動作時に影響を与えるような、空間や電源配線を伝わってくるノイズもあげられる。病院で使用される放射線検出装置は、事務機や家電製品に比べより高い階調性が必要とされるために撮像装置として高い感度が要求される。反面そういった外因性のノイズ源に対して敏感に影響されやすい傾向にある。
【００２１】
特に、図１０、図１１で示されるような光電変換部９１４を有する撮像装置では、その読み取り動作において、行単位で転送動作、リセット動作、サンプルホールド動作を行うため、それらの動作の直前に、何らかの経路で信号ラインに外因性ノイズが混入した場合、画像上、横スジ状のノイズになりやすい性質がある。それらのノイズをラインノイズと称する。ラインノイズは、横の１ラインの情報が丸ごとノイズ成分になってしまうため、情報量の損失が大きい。ラインノイズが発生した場合の画像を一例として図１３に示す。
【００２２】
外因性のノイズ源は、常時、飛来、漂流しているわけではない。放射線検出装置の読み取り動作過程に、たまたま混入した場合、取得したＸ線画像に、画像の乱れが生ずるものである。外因性ノイズが混入した場合、再度撮影行為を行うため、患者にとってＸ線被爆線量の増加が余儀なくされるといった課題を有している。病院にとっても撮影するための時間が増加するために運用効率が低下するといった課題を有する。
【００２３】
また、完全に撮影室を外因性のノイズ源から遮蔽する対策もあるが、例えば撮影室に既にある壁やドアを壊し、新たに作りなおすことは費用の面でも現実的ではない。
【００２４】
本発明では、以上述べたような突発的な外因性のノイズ混入により、撮像をやり直すこと、すなわちその患者にとって被爆線量を増加するといった事態を避けねばならないという課題を解決することを主たる目的としている。
【００２５】
【課題を解決するための手段】
上記課題を解決するため、本発明では、放射線を電気信号として検出する放射線検出部と、前記放射線検出部を駆動するためのタイミング発生部とを有する放射線検出装置において、前記放射線検出部からの出力を監視する出力監視部を備え、前記放射線検出部からの暗出力を前記出力監視部で放射線が出射する直前まで監視し、その暗出力に外因性のノイズ成分が混入していると判断する場合に、放射線の出射を禁止する信号を放射線発生装置側へ出力している。
【００２６】
また、被写体に対して放射線を出射する放射線源と、前記前記放射線源から出射され前記被写体を透過した放射線を電気信号として検出する放射線検出部と、前記放射線検出部を駆動するためのタイミング発生部とを有する放射線検出システムにおいて、前記放射線検出部からの出力を監視する出力監視部を備え、前記放射線検出部からの暗出力を前記出力監視部で監視することにより、その暗出力に外因性のノイズ成分が混入していると判断する場合に、放射線の出射を禁止している。
【００２７】
暗出力は、本来、放射線が照射されていないため信号レベルはほぼゼロであるが、暗出力に何かしらの外因性のノイズ成分が混入した場合、暗出力の信号レベルが変化する。出力監視部の役割は、撮影する直前の撮影環境すなわち外因性のノイズ源の影響度が、Ｘ線撮影に適しているか否か判断することにある。本発明では、出力監視部により、前記暗出力に外因性のノイズが混入していると判断する場合に前記放射線源からの放射線の出射を禁止する。逆に、前記暗出力に外因性のノイズ成分が混入していないと判断する場合に、前記放射線源から放射線を出射させることにより、被写体を透過した放射線を検出する。
【００２８】
【発明の実施の形態】
以下、本発明の放射線検出装置及び放射線検出システムの実施形態におけるＸ線撮像システムについて図面を用いて説明する。
【００２９】
図１は、本発明の実施形態におけるＸ線撮像システムを示す概略図である。図８と同一部材については同一の符号を付けている。
【００３０】
９０１は、Ｘ線を照射するＸ線源、９０２は、被写体すなわち患者、９０３は、本発明の波長変換体としてのＸ線を可視光に変換するＸ線可視変換蛍光体である。９１４は、本発明の放射線検出部としての光電変換部であり、蛍光体９０３と、その直下に近接して配置された光電変換素子９１１を含んでいる。光電変換素子９１１は、蛍光体９０３からの可視光を電気信号に変換するためのもので、絶縁基板９１０上に２次元アレー状に配列されている。９１３は、光電変換部９１４を駆動するためのタイミング発生部であり、例えば、図１２で示されるようなタイミング信号が出力される。９１２は、本発明の特徴の１つである出力監視部であり、光電変換部９１４からの暗出力を監視する部分である。出力監視部９１２は、光電変換部９１４の暗出力を監視し、撮影環境をとりまく外因性のノイズ源によるノイズ成分が暗出力に含まれるかどうかを判断する部分である。外因性のノイズが含まれてない場合に、爆射許可信号を出力する。
【００３１】
９０７は、Ｘ線技師が、患者の撮影部位と光電変換部９１４との位置関係や、患者の姿勢、Ｘ線の位置や管球の条件を予め整えて、爆射の意思を装置に伝えるためのスイッチである。カメラのシャッターボタンのようなものである。９０８は、９１２からの爆射許可信号と、Ｘ線技師からの爆射意思信号が両方とも発生した場合に、Ｘ線源からＸ線を出射させる信号を生成する装置であり、機能を簡単化するために論理回路のＡＮＤゲートの記号を用いて表記している。表１に、９０８の論理表を示しておく。
【００３２】
【表１】
2004024682.tif 000003
次に、光電変換部９１４の動作で、空読み動作を行う空読み期間、Ｘ線が照射され蓄積動作を行うＸ線照射期間、本読み動作を行う本読み期間の３つの期間について説明する。
【００３３】
図２は、「空読み期間」の動作を示すタイミングチャートである。なお、光電変換部９１４の回路図は、図１０の光電変換回路１０１の２次元的回路と図１１の読みだし用回路とで構成され、タイミングはタイミング発生部９１３で作られる。また、図１０では３×３の計９画素分で表記されているが、実際のＸ線撮像装置ではさらに多数の画素で構成されている。図３では、ゲート配線をＮ本で表記している。たとえば、医療用の胸部Ｘ線撮像装置の場合、有効領域で４０ｃｍ□以上、画素数としては画素ピッチ２００μｍで、２０００×２０００画素以上が求められている。
【００３４】
光電変換素子９１１の光情報は、素子内の電極間容量（素子容量）に蓄積される。しかし、空読み期間においては、まだＸ線が照射されていないために、光情報は全くない。ここでは、患者のＸ線透過情報とは無関係の光電変換素子９１１の暗電流による電荷が蓄積されている。シフトレジスタよりゲート駆動用配線Ｖｇ１に転送用のパルスを与え、１行目に付加している転送用スイッチ素子がオン状態に切り変わる。これにより、光電変換素子９１１内の電極間容量に蓄えられていた暗電流による電荷が、マトリクス信号配線を通って転送される。その後、ＳＭＰＬパルスにより、読み出し様回路部へ一括転送され、さらにシリアル変換することにより１行目の出力が読み出される。以下Ｎ行までその動作を繰り返し、１フレーム分のスキャンを終了する。空読み期間は、Ｘ線照射がないため信号電荷による出力成分Ｖｏｕｔを図３では表していない。空読み動作とは以上の説明にあるように、いわばＸ線を照射せずに１フレーム分のスキャン動作を行うことである。実際の撮影では、Ｘ線が照射されるまでに数フレーム分の空読み動作が行われる。
【００３５】
次に「Ｘ線照射期間」について説明する。図３は「Ｘ線照射期間」の動作を示すタイミングチャートである。「Ｘ線照射期間」は「空読み期間」の後に行われる。タイミングについて、ＣＲＥＳ、Ｖｇ１〜ＶｇＮ、ＳＭＰＬは、「Ｌｏ」状態で、Ｘ線だけがパルス的に照射される。この期間は、Ｘ線による患者のＸ線透過情報がそれぞれの光電変換素子９１１に蓄積するための蓄積期間である。
【００３６】
最後に「本読み期間」について説明する。図４は「本読み期間」の動作を示すタイミングチャートである。「本読み期間」は「Ｘ線照射期間」の後に行われる。図４と図２を比較するとわかるように、タイミング上、本読み動作は、先の空読み動作と何ら違いはない。本読み期間は、その前のＸ線照射期間で光電変換素子９１１にＸ線情報を蓄えているため、出力Ｖｏｕｔは、空読み期間のものとは異なる。
【００３７】
図５は、Ｘ線撮像システムの動作を示すフローチャートである。開始後、空読み動作を行いＸ線技師の意思を示す爆射指令（爆射意思信号）を待っている。爆射意思信号がない時は、空読み動作を繰り返している。Ｘ線技師により爆射意思信号が発生すれば、空読み動作の過程で、その暗出力にノイズがあったかどうかを判断する。空読み動作は複数回行われるため、どの時点での空読み動作の出力を判断の対象にするかは、出力監視部９１２で予め定義すればよい。例えば、爆射意思信号が入力された直前の空読み出力を対象としてもよいし、直前の２フレーム分の空読み出力を対象としてもよい。あるいは複数通りの選択肢を備え持って、適時選択してもよい。いずれにしても、対象とした空読み動作の暗出力に異常があると判断された場合Ｘ線の爆射を禁止する。表１で例えるならば、爆射許可信号が発生せず、Ｘ線は照射されることはない。逆に、対象とした空読み動作の暗出力が正常であると判断された場合、Ｘ線許可信号が発生し、Ｘ線が照射される。その後、本読み動作を行い１フレーム分のＸ線情報が得られる。
【００３８】
爆射の禁止とは，Ｘ線技師により爆射指令（爆射意思信号）があったその時に、禁止するだけであって、その後長時間にわたり禁止し続けるわけではない。すなわち、すぐに再撮影を開始し、暗出力に所定のノイズがなくなっていればＸ線が照射され本読み動作が行われる。
【００３９】
図５のフローチャートからわかるように、空読み動作を終えた後に、過去の空読み動作の暗出力を出力監視部９１２で判断するため、出力監視部９１２には、記憶手段（メモリ）を持っている。出力監視部９１２は、例えば、ＡＤコンバータ、メモリ、ＣＰＵ等を含んでおり、空読み動作時の暗出力をディジタル化しメモリに格納しておく。
【００４０】
図６は、実施形態におけるＸ線撮像システムにおける光電変換部９１４のアナログ出力の事例を示している。説明の簡単化のため３×３の９画素分の出力で示している。
【００４１】
（ａ）は、Ｘ線を照射した時の明出力の例である。すなわち、本読み動作の出力である。凸凹しているのは患者の透過Ｘ線の体内情報と光電変換素子９１１の感度のばらつき等による。（ｂ）は、Ｘ線を照射しない時の暗出力の例である。すなわち、空読み動作時の出力例である。凸凹しているのは、光電変換素子９１１の暗電流のばらつきや、読み出し用回路部におけるアンプのオフセット成分のばらつき等による。（ｃ）は、出力監視部９１２から爆射許可信号が出力される場合の暗出力の例である。図中、爆射許可信号が発令されない場合の閾値を＋側と−側と両方示しており、暗出力がこの範囲内に入っていれば、爆者許可信号が発令される。（ｄ）は、爆射許可信号が発令されない場合の暗出力の例である。１画素の出力が＋側の閾値を超えたために、爆射許可信号が出力されない。（ｅ）は、爆射許可信号が発令されない場合の暗出力の例で、（ｄ）とは別の例である。１行分の暗出力が＋側の閾値を超えたために、爆射許可信号が出力されない。図１０と図１１で説明される光電変換部９１４は、行単位での転送、リセット、サンプルホールドを行うために、外因性ノイズ源によるこの種類のノイズ（ラインノイズ）が多く発生する傾向にある。（ｆ）は、爆射許可信号が発令されない場合の暗出力の例である。この場合、１行分の暗出力が−側の閾値を超えたために、爆射許可信号が出力されない。
【００４２】
なお、出力監視部９１２から爆射許可信号を発令させる基準は、例えば（ｄ）のように、１画素でも閾値を超えた場合、あるいは（ｅ）のように１行分の出力が閾値を超えた場合（ラインノイズ）、など幾種類かの選択肢を備え持って適時、所望のものを選択すればよい。また出力監視部９１２にマイクロコンピュータの機能を持たせれば、爆射許可信号を発令させる基準をソフト上で、多種多様に作成することが可能である。
【００４３】
本実施形態では、図１において、波長変換体、すなわちＸ線を可視光に変換するＸ線可視変換蛍光体９０３を用いる光電変換部９１４の例を示したが、波長変換体を用いずに、光電変換部９１４が、入射した放射線を直接電気信号に変換するＸ線検出素子が１つの画素に含まれ、それらを２次元アレー状に配置させたものでもよい。この場合は、Ｘ線検出素子は、ヨウ化鉛、ヨウ化水銀、セレン、テルル化カドミウム、ガリウムヒ素、ガリウム燐、硫化亜鉛、又はシリコンのいずれかを材料として含むものである。
【００４４】
また、空読み動作と本読み動作とを、全く同じにして説明した。同じ駆動方法であれば、外因性のノイズの受け方も同様になる。しかし、空読み動作の暗出力に外因性のノイズが含まれ、出力監視部９１２で検出できれば、必ずしも空読み動作と本読み動作とを同じにする必要はない。
【００４５】
【発明の効果】
以上説明したように、本発明の放射線検出装置及び放射線検出システムによれば、外因性のノイズ源が突発的に混入し、再度Ｘ線撮影をやり直すこと、すなわちその患者にとって被曝線量が増加することがなくなる効果がある。また、再撮影がなくなれば、病院内の運用効率が向上し患者にとって待ち時間も短くできるため負担を軽減できる効果がある。
【図面の簡単な説明】
【図１】本発明の実施形態におけるＸ線撮像システムの概略図
【図２】「空読み期間」の動作を示すタイミングチャート
【図３】「Ｘ線照射期間」の動作を示すタイミングチャート
【図４】「本読み期間」の動作を示すタイミングチャート
【図５】Ｘ線撮像システムの動作を示すフローチャート
【図６】Ｘ線撮像システムにおける光電変換部９１４のアナログ出力の事例
【図７】従来のフィルム方式のＸ線撮影システムを示す概略図
【図８】従来の固体撮像素子を用いたＸ線撮像システムを示す概略図
【図９】図８で示されるＸ線撮像システムの動作を示すフローチャート
【図１０】光電変換回路１０１の２次元的回路図（３×３＝９画素）
【図１１】図１０の読み出し用回路１０７の内部を示す電気回路図
【図１２】図１０、図１１からなる光電変換部９１４の動作を示すタイミングチャート
【図１３】ラインノイズが発生した場合の画像例
【符号の説明】
９０１　Ｘ線源
９０２　被写体（患者）
９０３　蛍光体
９０４　フィルム
９０５、９０７　スイッチ
９０６　Ｘ線源の電源
９０８　Ｘ線源からＸ線を出射させる信号を生成する装置（ＡＮＤゲート）
９１０　絶縁基板
９１１　光電変換素子
９１２　出力監視部
９１３　タイミング発生部
９１４　光電変換部
１０１　光電変換回路（光電変換基板）
１０２、１０３　シフトレジスタ
１０４　アンプ
１０７　読み出し用回路
【図１】
2004024682.tif 000004
【図２】
2004024682.tif 000005
【図３】
2004024682.tif 000006
【図４】
2004024682.tif 000007
【図５】
2004024682.tif 000008
【図６】
2004024682.tif 000009
【図７】
2004024682.tif 000010
【図８】
2004024682.tif 000011
【図９】
2004024682.tif 000012
【図１０】
2004024682.tif 000013
【図１１】
2004024682.tif 000014
【図１２】
2004024682.tif 000015
【図１３】
2004024682.tif 000016